(57)【特許請求の範囲】
【請求項１】
コンテンツ供給元と時間軸により規定される表示領域のそれぞれに、少なくともコンテンツの情報及び継続時間を表示する番組表表示手段と、
前記コンテンツをエンコードするエンコーダ手段と、
前記コンテンツをデコードするデコード手段と、
前記番組表表示部が表示する番組表内に、前記エンコード手段及び前記デコード手段が動作しない非動作時間であって、ダビング予約及び録画予約のいずれとも重複しない時間帯かつダビング及び付随する処理が終了可能な時間を、同一画面表示内のダビング予約表示領域に表示させる表示制御手段と、
を具備する電子機器。
【請求項２】
前記表示制御手段が表示する前記ダビング及び付随する処理が終了可能な時間は、ファイナライズを含む請求項１の電子機器。
【請求項３】
前記同一画面表示内のダビング予約表示領域は、番組表表示手段が表示する番組表内への時間の表示列と同一の方向に沿った方向の表示である請求項１または２の電子機器。
【発明の詳細な説明】
【技術分野】
【０００１】
この発明は、空間波や通信回線を用いて放送事業者や配信事業者により提供される番組（コンテンツ）を私的な利用のために記録（録画）可能な電子機器に関する。
【背景技術】
【０００２】
放送事業者や配信事業者から空間波や通信回線を介して提供される番組（コンテンツ）を私的な利用のために録画（記録）可能な映像記録再生装置として、往年のビデオテープを用いるビデオテープレコーダに代わって、光ディスク、特にＤＶＤ規格の光ディスクを記録媒体に用いる光ディスクレコーダ装置が広く普及している。なお、光ディスクレコーダにおいては、光ディスクに比較して記録容量の多いＨＤＤ（ハードディスク装置）が搭載され、ＨＤＤにおいて一旦記録したコンテンツ（番組）のうち長期的な保存等を目的とするコンテンツについて、光ディスクにダビングする、という利用が広がっている。
【０００３】
しかしながら、光ディスクレコーダ装置において、ハードディスク装置から光ディスクへコンテンツをダビングする場合、エンコーダおよびデコーダが稼動する（専有される）ことにより、一部の多機能機種や上位モデルのレコーダに見られるような、２以上のエンコーダとデコーダが用意されているレコーダを除いては、録画が予約されている場合に、ダビングができないか、ダビングが一時的に中断される。
【０００４】
特許文献１には、予約画面からダビング開始時刻を指定してダビングが予約可能な装置が開示されている。
【特許文献１】特開２００５−１６７２９７号公報
【発明の概要】
【発明が解決しようとする課題】
【０００５】
特許文献１の表示方法では、コンテンツをダビングしようとするユーザが指定しようとする開始時刻およびダビングに必要な所要時間に既に録画が予約されている場合すなわちダビングが録画の予約されている時間帯と重複する場合、重複する予約のいずれかを破棄または変更しなければならない。
【０００６】
この発明の目的は、ダビング予約または直接指示によってコンテンツ（タイトル）のダビングを設定する際に、既に予約されている録画予約やダビング予約に影響を及ぼすことのないダビング開始時刻、あるいはダビング可能時間帯を設定可能な映像記録再生装置を提供することである。
【課題を解決するための手段】
【０００７】
実施形態の電子機器は、番組表表示手段と、エンコーダ手段と、デコード手段と、表示制御手段と、を具備する。番組表表示手段は、コンテンツ供給元と時間軸により規定される表示領域のそれぞれに、少なくともコンテンツの情報及び継続時間を表示する。エンコーダ手段は、前記コンテンツをエンコードする。デコード手段は、前記コンテンツをデコードする。表示制御手段は、前記番組表表示部が表示する番組表内に、前記エンコード手段及び前記デコード手段が動作しない非動作時間であって、ダビング予約及び録画予約のいずれとも重複しない時間帯かつダビング及び付随する処理が終了可能な時間を、同一画面表示内のダビング予約表示領域に表示させる。
【図面の簡単な説明】
【０００８】
【図１】この発明の実施の形態が適用される映像記録再生装置の一例を示す概略図。
【図２】図１に示した映像記録再生装置における『ダビング予約』の指示（設定／登録）に利用される画面の表示の一例を示す概略図。
【図３】『ダビング予約』済み表示あるいは『録画予約』済み表示を表示させるための、ソフトウエア的な動作の一例を示す概略図。
【図４】図２に示したダビング予約（番組ナビ画面（録画予約付情報付番組表））画面から任意の時間のタイトルコンテンツのダビングをダビング予約する際に表示される表示の一例を示す概略図。
【図５】図２ないし図４を用いて説明した『ダビング予約』の別の実施の形態の一例を示す概略図。
【図６】図５により説明した実施の形態において、『最大ダビング可能時間』を算出する工程により表示される表示の一例を示す概略図。
【図７】図５により説明した実施の形態において表示される『ダビング対象タイトル選択』画面の表示の一例を示す概略図。
【図８】図５により説明した実施の形態において表示される１つの『ダビング予約』が終了した状態の表示の一例を示す概略図。
【図９】図２ないし図４、及び図５ないし図８を用いて説明した『ダビング予約』の別の実施の形態の一例を示す概略図。
【図１０】図９により説明した実施の形態において表示される『ダビング対象タイトル選択』画面の表示の一例を示す概略図。
【図１１】図９により説明した実施の形態において表示される『編集ナビ（ダビング）画面（ダビング詳細／日時／優先度設定）』画面の表示の一例を示す概略図。
【図１２】図９により説明した実施の形態において表示される１つの『ダビング予約』が終了した状態の表示の一例を示す概略図。
【発明を実施するための形態】
【０００９】
以下、図面を参照して、本発明の実施の形態の一例について説明する。
【００１０】
図１は、本発明の実施の形態が適用可能な映像記録再生装置（レコーダ装置）の一例を示す。
【００１１】
映像記録再生装置１は、例えばチューナ部３もしくは外部入力部５から入力された動画像（映像信号）／オーディオ信号（音声信号）を、ＨＤＤ（ハードディスクドライブ）に代表される大容量記録装置７において記録可能に、あるいは大容量記録装置７に保持されている映像信号及び音声信号を、外部に接続されるモニタ装置１１１及びスピーカ１１３あるいはテレビ受信機１１５等に出力する録画再生信号処理部（Ｄｉｇｉｔａｌ  Ｓｉｇｎａｌ  ｐｒｏｃｅｓｓｏｒ，ＤＳＰ）９を有する。
【００１２】
チューナ部３には、例えば、放送衛星あるいは通信衛星を介して提供される衛星デジタルＴＶ放送を受信するための衛星アンテナや地表波として提供される地上デジタル／アナログＴＶ放送を受信するための地上波アンテナが接続される。なお、映像及びオーディオ信号は、外部入力部５を介して供給されてもよいし、図示しないがネットワークを介して配信されるものであってもよいことはいうまでもない。
【００１３】
録画再生信号処理部９は、詳述しないが、ビデオエンコーダ部、ビデオデコーダ部、オーディオエンコーダ部、及びオーディオデコーダ部、等を含む。
【００１４】
録画再生信号処理部９には、主制御ブロック１１及び主制御ブロック１１に接続されたメモリ部（ＲＡＭ）１３、ユーザによる操作により生成される制御信号の入力に利用されるユーザ操作入力部１５、ユーザによるリモート端末（以下リモコンと略称する）ＲＭの操作により生成される制御信号の入力に利用されるリモコン受信部１７、及び予約録画等の時間管理に利用されるタイマ部１９等が接続されている。
【００１５】
また、録画再生信号処理部９には、例えばＤＶＤ規格の光ディスクＤがセットされることで、光ディスクＤに収容されている情報を再生し、あるいはＨＤＤ７やチューナ部５から供給される映像信号及び音声信号が記録可能なディスクドライブ部２１、及び外部に接続されるモニタ装置１１１及びスピーカ１１３あるいはテレビ受信機１１５等に出力するための出力部２３が接続されている。
【００１６】
チューナ部３は、地上アナログ／地上デジタル等に代表される任意形式の公衆向け放送や、放送衛星や通信衛星を介して供給される公衆向け衛星放送波を受信可能で、例えばＴＳ（Ｔｒａｎｓｐｏｒｔ  ｓｔｒｅａｍ，以降“ＴＳ”と称する）形式であるデジタル放送波の映像信号および音声信号も受信できる。なお、チューナ部３は、例えば光ケーブル等を介して、プロバイダあるいは配信局（地域ネットワーク基地局）等から供給される限定的なコンテンツも受信可能である。
【００１７】
ＨＤＤ（ハードディスクドライブ）７は、例えば２５０〜１０００Ｇバイトの記録容量が与えられた書き換え可能な大容量記録装置であって、記録レートを変えることにより、最大で１０００時間程度の映像信号および音声信号が記録可能である。なお、ＨＤＤ７に保持されているタイトル（コンテンツ）は、詳述しないが、家庭内ネットワークやサーバを介して接続されている他の映像記録再生装置のハードディスク装置や映像記録再生装置１に増設されたハードディスク装置であってもよいことはいうまでもない。
【００１８】
主制御ブロック１１は、詳述しないが、ＣＰＵ（Ｃｅｎｔｒａｌ  ｐｒｏｃｅｓｓｉｎｇ  ｕｎｉｔ）またはＭＰＵ（Ｍａｉｎ  ｐｒｏｃｅｓｓｉｎｇ  ｕｎｉｔ）と、少なくとも番組表／ダビング予約同時表示制御部１１ａ、ダビング予約可能時間帯検索部１１ｂ、ダビング所要時間算出部１１ｃ、ダビング可能タイトル（コンテンツ）検索部１１ｄ、ダビング予約制御部１１ｅ、及び録画予約制御部１１ｆを含み、例えばディスクドライブ部２１にセットされた光ディスクＭに、ＨＤＤ７に保持されている任意のタイトル（コンテンツ）をダビングする際に、ダビングが開始された後、終了するまでの間に、録画予約されている録画が開始することのないよう、すなわちダビング開始あるいはダビング予約が設定された際に、録画予約されているタイトルの録画時間と重複することのない時間帯を検索し、設定できる。なお、ダビング予約制御部１１ｅは、ダビング予約があった（指示された）場合に、タイマ部１９が管理するダビング予約情報の更新を指示する。また、録画予約制御部１１ｆは、録画予約があった（指示された）場合に、タイマ部１９が管理する録画予約情報の更新を指示する。
【００１９】
また、主制御ブロック１１は、図示しないＯＳＤ（Ｏｎ  Ｓｃｒｅｅｎ  Ｄｉｓｐｌａｙ）ユニットを含み、例えばユーザ操作入力部１５またはリモートコントロール受信部１７を介して入力された操作情報や選択されたチャンネル、あるいはダビングの指示に対応する選択画面や操作画面を、出力部２３に接続されるテレビ受像機１１５やモニタ装置１１１に表示可能に、出力する。
【００２０】
メモリ部１３は、詳述しないが、ワークメモリとして機能するメインメモリ（ＳＤＲＡＭ）、主制御ブロック１１や映像記録再生装置１の任意の要素を動作させるためのプログラムを保持したＲＯＭ、及び録画予約制御部１１ｆおよびダビング予約制御部１１ｅにおいて予約（登録／設定）された日時、録画／ダビング種別、長さ（開始時間／終了時間）、チャンネル（ｃｈ）、レート等の情報を保持する不揮発性メモリ（ＮＶＭ）等を含む。
【００２１】
ユーザ操作入力部１５は、図示しないが、映像記録再生装置１本体に設けられている操作ボタン群により直接指示される（ユーザからの）操作入力を受け付ける。例えば、映像記録再生装置１本体に通常設けられている再生（ＰＬＡＹ）ボタンによる再生指示や録画（ＲＥＣ）ボタンによる録画指示が、ユーザ操作入力部１５により入力可能である。
【００２２】
リモコン受信部１７は、リモコンＲＭを介してユーザから指示される制御情報、例えばチューナ部３／外部入力部５を経由して受信（取得）すべき放送波／入力の選択や、録画再生信号処理部９による録画処理、ならびに光ディスクへのダビング（あるいはムーブ）すべきコンテンツ（タイトル）を決定する、等のユーザ操作を受け付ける。
【００２３】
なお、主制御ブロック１１においては、例えばリモートコントロール（リモコン）受信部１７を経由してダビング／またはダビング予約、もしくは録画予約が指示された場合、ＯＳＤ（Ｏｎ  Ｓｃｒｅｅｎ  Ｄｉｓｐｌａｙ）ユニットにより、出力部２３に接続されているモニタ装置１１１またはテレビ受像機１１５に、ＧＵＩ（Ｇｒａｐｈｉｃａｌ  Ｕｓｅｒ  Ｉｎｔｅｒｆａｃｅ）を表示させる。また、図２、あるいは図３に示す表示もしくは手順は、主制御ブロック１１により制御される録再信号処理部９の動作（タイマ部１９からの予約データの抽出を含む）として、実現される。
【００２４】
次に、図１に示した映像記録再生装置を用いて、録画済のタイトル（コンテンツ）を、光ディスクまたは別の映像記録再生装置のＨＤＤ（ハードディスク）にダビング（複製）あるいはムーブ（移動）する例を説明する。
【００２５】
リモコンＲＭを介して、ダビング指示あるいは番組表の表示が入力されると、図２に示すような、番組ナビ画面（全チャンネル一覧画面）２０１が、主制御ブロック１１により制御される録再信号処理部９の出力画面（画像）として、モニタ装置１１１あるいはＴＶ受像機１１５に表示される。なお、番組表に表示すべき情報は、例えばアンテナを介して入力される空間波（テレビ放送）に重畳され、または外部入力部５を介して配信データに付随して、もしくは詳述しないネットワークサーバ（配信元）への接続により、随時取り込まれることはいうまでもない。
【００２６】
番組表（番組ナビ画面（全チャンネル一覧画面））は、例えばメモリ部１３に予め保持されている表示形式であって、時間軸及びチャンネル（配信元情報）をマトリクス状に表示するものである。なお、番組表は、空間波（テレビ放送）、配信データあるいはネットワークサーバへの接続により取り込まれたデータを、個々のチャンネルと時間軸により規定される表示領域に、継続時間（コンテンツの長さ）とともに表示する。また、（番組表は）少なくとも１つのチャンネル（コンテンツ供給元表示）分の表示欄に、後段に説明する『ダビング予約』表示、『録画予約』表示及び『ダビング予約可能』表示を、他の表示と同時に表示する。
【００２７】
図２から明らかなように、モニタ装置１１１／ＴＶ受像機１１５に表示される出力画面としては、全チャンネル一覧画面（番組ナビ画面）であるが、同時に「ダビング予約」が設定されている場合、もしくは「録画予約」が設定されている場合、あるいはその両者が設定されている場合には、対応する時間帯の所定の表示位置（領域）に『ダビング予約』済み表示２１１−１，・・・，２１１−ｋ（ｋは任意の整数）及び『録画予約』済み表示２２１−１，・・・，２２１−ｍ（ｍは任意の整数）が、同一表示（画面）内に、表示される。なお、『ダビング予約』済み表示２１１−１，・・・，２１１−ｋは、例えば黄の着色等により、『録画予約』済み表示２２１−１，・・・，２２１−ｍは、例えば赤の着色等により、同一画面表示（番組ナビ画面／全チャンネル一覧表示）内に、表示される。また、『ダビング予約』済み表示及び『録画予約』済みは、現在表示されている番組ナビ画面内で、設定されている予約に対応する数だけ表示されることはいうまでもない。
【００２８】
また、図２から明らかなように、『録画予約』の無い所定の時間長、例えば１時間に渡ってダビングが可能である場合には、その時間長部分においてダビングが可能であることを示す『ダビング可能表示』２３１−１，・・・，２３１−ｎ（ｎは任意の整数）が、例えば水色の着色等により、同一画面表示（番組ナビ画面／全チャンネル一覧表示）内に表示される。なお、『ダビング可能表示』は、現在表示されている番組ナビ画面内で、設定されている予約に対応する数だけ表示されることはいうまでもない。
【００２９】
このとき、『ダビング予約』済み表示及び『録画予約』済み表示は、録再信号処理部９（及び主制御ブロック１１）によるタイマ部１９からの予約済みデータの抽出により、表示可能であることは既に説明した通りである。
【００３０】
図３は、図２に示した番組ナビ画面（全チャンネル一覧）表示において、『ダビング予約』済み表示あるいは『録画予約』済み表示を表示させるための、工程（ソフトウエア的な動作）の一例を示す。
【００３１】
図３に示す通り、ダビングの開始もしくはダビング予約に際して、リモコンＲＭによりダビング開始あるいはダビング予約が指示されると、主制御ブロック１１の番組表／ダビング予約可能時間帯検索部１１ｂにより、既に予約されているダビング（ダビング予約）の有無が検索される（Ｓ１１）。
【００３２】
ステップＳ１において、既にダビング予約が予約（設定／登録）されている日時（時間帯）が検出された場合（Ｓ１２−ＹＥＳ）、録画予約情報付番組表（番組表）に、予約済みのダビング予約が同時に表示される。なお、表示された時間帯において、録画予約が予約されていない場合には、通常の番組表と同等の表示が表示される（Ｓ１３）。
【００３３】
ステップＳ１において、既にダビング予約が予約（設定／登録）されている日時（時間帯）が検出されない（ダビング予約がない）場合（Ｓ１２−ＮＯ）、録画予約情報付番組表（番組表）のみが表示される。なお、表示された時間帯において、録画予約が予約されていない場合には、通常の番組表と同等の表示が表示される（Ｓ１４）。
【００３４】
図４は、図２に示したダビング予約（番組ナビ画面（録画予約付情報付番組表））画面から任意の時間のタイトルコンテンツのダビングをダビング予約する際に表示される表示画面の例を示す。
【００３５】
リモコンＲＭを介して、任意の『ダビング可能表示』が選択される（リモコンＲＭの、図示しないが、例えば上下左右の４方向の矢印キー等により、現在表示されている『ダビング可能表示』の１つにフォーカスが当てられ（カーソルが移動され）、例えば「決定」キーがオンされる）ことで、図４（ｂ）に示すような、編集ナビ（ダビング）画面が表示される。
【００３６】
例えば、図４（ａ）に示したダビング予約画面４０１において、１時間分の『ダビング可能表示』４３１−２にフォーカスが当てられる（カーソルが移動される）と、ダビング可能タイトル（コンテンツ）検索部１１ｄ（主制御ブロック１１）により、１時間のタイトル（コンテンツ）が、ＨＤＤ７から抽出（検索）され、図４（ｂ）の編集ナビ（ダビング）画面４０１の上部に規定されるダビング候補表示領域４１０に、ダビング候補として表示される。このとき、表示されるタイトル（コンテンツ）は、図示しないが、予め設定されている表示条件に基づいて、タイトルのサムネイル画面もしくはＥＰＧ（電子番組表）の要約（またはトップページの縮小版）等が表示可能である。また、ダビング候補は、例えば記録日時順、あるいは記録された時間のうちの現在時間に近い順等の予め設定されている条件に従って表示される。
【００３７】
このとき、ダビング候補表示領域４１０には、画面番号表示とともに表示される、所定個数のサムネイル画面（もしくはＥＰＧ（電子番組表）の要約（またはトップページの縮小版））と現在フォーカス（カーソル）が当てられているタイトル（コンテンツ）の名称が表示される。
【００３８】
また、編集ナビ（ダビング）画面の下方に規定されるダビング先情報表示領域４２０には、リモコンＲＭからの入力によりダビング予約の対象として選択されたタイトル（コンテンツ）のサムネイル画面（またはＥＰＧの要約（またはトップページの縮小版））が表示される。
【００３９】
なお、リモコンＲＭにより（ユーザから）決定（登録）が指示されることで、ダビング予約が完了する。
【００４０】
図５は、図２ないし図４を用いて説明した『ダビング予約』の別の実施の形態の一例を示す。
【００４１】
ダビングの開始もしくはダビング予約に際して、リモコンＲＭによりダビング開始あるいはダビング予約が指示されると、主制御ブロック１１の番組表／ダビング予約可能時間帯検索部１１ｂにより、既に予約されているダビング（ダビング予約）ならびに録画予約の有無、及びダビング予約と録画予約が設定されている時間帯（開始時間／終了時間）が取得される（Ｓ１１１）。
【００４２】
次に、取得した録画予約およびダビング予約情報に基づいて、ダビング予約可能時間帯検索部１１ｂにより、既に録画予約およびダビング予約が設定されている時間帯を除いたダビング予約可能時間帯が検索される（Ｓ１１２）。
【００４３】
続いて、ダビング予約可能な時間帯の有無が検索される。なお、通常、現在表示されている番組表が表示する時間帯の範囲内でダビング予約可能な時間帯の有無が検索され、ユーザにより画面スクロール（次の時間帯表示）が指示されることで、引き続く時間帯のうちのダビング予約可能な時間帯の有無が検索される。もちろん、例えば２４時間以内等の所定期間の間のダビング予約可能な時間帯の有無が検索された後、番組表が１回に表示可能な範囲内のダビング予約可能な時間帯の有無が、逐次表示されてもよい（Ｓ１１３）。
【００４４】
ステップＳ１１３において、ダビング予約可能な時間帯が存在することが検出された場合（Ｓ１１３−ＹＥＳ）、図２により既に説明したと同様に、番組表（番組ナビ画面（全チャンネル表示））画面に、例えば水色の着色等により、『ダビング可能表示』２３１−１，・・・，２３１−ｎ（ｎは任意の整数）が、表示される。なお、同一の番組表（番組ナビ画面（全チャンネル表示））画面に表示される時間帯において録画予約が予約（設定）されている場合には、図２を用いて一例を示したように『ダビング可能表示』２３１−１，・・・，２３１−ｎとともに、『録画予約』済みの時間帯が、例えば赤の着色等により、ダビング予約可能時間帯の表示と同時に表示される（Ｓ１１４）。
【００４５】
ステップＳ１１４で表示された『ダビング可能表示』６３１−１，・・・，６３１−ｎの任意の１つ（図６参照）が選択されることによりダビング開始時間が指定され（Ｓ１１５）、最も近接した時間（時刻）に開始されるダビング予約／録画予約の開始までの間の『最大ダビング可能時間』が算出される（Ｓ１１６）。
【００４６】
以下、ダビング対象となりうる任意のタイトル（コンテンツ）のダビング時間（レート変換の有無やダビング先の倍速対応の可否等により異なる）とファイナライズ等に必要な処理時間とから『タイトルのダビング所要時間』が算出される（Ｓ１１７）。
【００４７】
次に、『タイトルのダビング所要時間』と『最大ダビング可能時間』とに基づいて、ダビング可能タイトル（コンテンツ）検索部１１ｄ（主制御ブロック１１）により、ＨＤＤ７内に保持されているタイトル（コンテンツ）のうちの最も近接した時間（時刻）に開始されるダビング予約／録画予約の開始までにダビングが可能な任意数のタイトル（コンテンツ）が抽出（検索）され（Ｓ１１８）、ダビング可能なタイトル（コンテンツ）が存在する場合（Ｓ１１９−ＹＥＳ）には、図７に示すように、ダビング対象タイトル選択画面７０１が表示される。なお、図７から明らかなように、ダビング対象タイトル選択画面７０１の上部に規定されるダビング候補表示領域７１０に、検索されたタイトル（コンテンツ）が、ダビング候補として表示される。このとき、ダビング候補は、例えば記録日時順、あるいは記録された時間のうちの現在時間に近い順等の予め設定されている条件に従って表示される。また、ダビング対象タイトル選択画面の下方に規定されるダビング先情報表示領域７２０には、リモコンＲＭからの入力によりダビング予約の対象として選択されたタイトル（コンテンツ）のサムネイル画面（またはＥＰＧの要約（またはトップページの縮小版））が表示される（Ｓ１２０）。
【００４８】
以下、リモコンＲＭにより（ユーザから）決定（登録）が指示されることで、ダビング予約が完了する。このとき、ダビング対象タイトル選択画面７０１から図８に示す番組表（番組ナビ画面（全チャンネル表示））画面に、画面表示が変化される。なお、図８から明らかなように、例えば黄の着色等により『ダビング予約』済み表示８１１−２（ここで追加）と既に設定されていた『ダビング予約』済み表示８１１−１，８１１−ｋが、例えば赤の着色等により、予め録画予約が予約されている『録画予約』済み表示８２１−１，８２１−ｍが、同一画面表示（番組ナビ画面／全チャンネル一覧表示）内に、表示される（Ｓ１２１）。
【００４９】
図９は、図５ないし図８を用いて説明した『ダビング予約』の別の実施の形態の一例を示す。
【００５０】
ダビングの開始もしくはダビング予約に際して、リモコンＲＭによりダビング開始あるいはダビング予約が指示されると、図１０に示すように、ダビング対象タイトル選択画面１００１が表示される。なお、図１０から明らかなように、ダビング対象タイトル選択画面１００１の上部に規定されるダビング候補表示領域１０１０に、ダビング対象となりうるさまざまなタイトル（コンテンツ）が、ダビング候補として表示される。このとき、ダビング候補は、例えば記録日時順、あるいは記録された時間のうちの現在時間に近い順等の予め設定されている条件に従って表示される（Ｓ２１１）。
【００５１】
次に、リモコンＲＭ（図１参照）の、例えば上下左右の４方向の矢印キー（図示せず）等により、ダビング候補表示領域１０１０に示されているサムネイル画面（またはＥＰＧの要約（またはトップページの縮小版））が、選択（決定）されることで、選択画面１００１の下方に規定されるダビング先情報表示領域１０２０に、ダビング予約の対象として選択されたタイトル（コンテンツ）のサムネイル画面（またはＥＰＧの要約（またはトップページの縮小版））が表示される（Ｓ２１２）。
【００５２】
続いて、リモコンＲＭ（図１参照）の図示しない所定のキー、例えば「ダビング予約」キーがオンされることで、図１１に示すような、「編集ナビ（ダビング）画面（ダビング詳細／日時／優先度設定）」表示１１０１（画面）が表示される（Ｓ２１３）。
【００５３】
以下、ステップＳ２１３で表示された「編集ナビ（ダビング）画面（ダビング詳細／日時／優先度設定）」表示１１０１（画面）からダビング開始時間が入力されると（Ｓ２１４）、ダビング対象として選択されたタイトル（コンテンツ）のダビング時間（レート変換の有無やダビング先の倍速対応の可否等により異なる）とファイナライズ等に必要な処理時間とから『タイトルのダビング所要時間』が算出される（Ｓ２１５）。
【００５４】
続いて、あるいは平行して、既に『ダビング予約』が予約（設定／登録）されている日時（時間帯）ならびに『録画予約』が予約（設定／登録）されている日時（時間帯）が検出される（Ｓ２１６）。
【００５５】
次に、取得した『ダビング予約』が予約（設定／登録）されている日時（時間帯）及び『録画予約』が予約（設定／登録）されている日時（時間帯）を除いたダビング予約可能時間帯が検索される（Ｓ２１７）。
【００５６】
続いて、ステップＳ２１５で算出された『タイトルのダビング所要時間』を実行可能な『ダビング予約可能』時間帯が存在するか否かがチェックされ（Ｓ２１８）、『ダビング予約可能』時間帯が見つかった場合は（Ｓ２１８−ＹＥＳ）、図１２に示すように、録画予約情報付番組表（番組表）に、『ダビング予約可能』時間帯として、例えば水色の着色等により『ダビング可能表示』１２３１−１，・・・，１２３１−ｎ（ｎは任意の整数）が、表示される（Ｓ２１９）。
【００５７】
以下、ユーザによるリモコンＲＭの操作により、ステップＳ２１９で表示された『ダビング可能表示』１２３１−１，・・・，１２３１−ｎの任意の１つが選択されることで、ダビング開始時間帯が指定される（Ｓ２２０）。
【００５８】
次に、リモコンＲＭにより（ユーザから）決定（登録）が指示されることで、ダビング予約が完了する。このとき、番組ナビ画面（全チャンネル表示））画面１２０１においては、例えば黄の着色等により『ダビング予約』済み表示１２１１−２（ここで追加）と既に設定されていた『ダビング予約』済み表示１２１１−１，１２１１−ｋが、例えば赤の着色等により、予め録画予約が予約されている『録画予約』済み表示１２２１−１，１２２１−ｍが、同一画面表示（番組ナビ画面／全チャンネル一覧表示）内に表示される（Ｓ１２１）。
【００５９】
以上説明したように、本発明の実施の形態の１つを用いることで、コンテンツ（番組）のダビング／ムーブが要求された場合、ダビング／ムーブが可能な時間帯が、番組表画面に、同時に表示される。これにより、録画予約等によりダビングができない時間帯が直ちに確認できるとともに、ダビング予約を設定した結果、先行して予約されていることのある録画予約やダビング等との重複により、再びダビング予約を設定することが要求されることが解消される。
【００６０】
すなわち、ダビングをダビング予約により、映像記録再生装置のエンコーダ／デコーダが動作しない非動作時間に、ダビングを実行可能となり、ユーザの操作性や利便性が向上する。
【００６１】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【００６２】
また、上述した各画面の『表示』は、映像記録再生装置１において、出力部２３に接続されたモニタ装置１１１（テレビ受像機（モニタ装置）１１５）に表示される表示例であり、その『表示』となる表示パターンは、主制御ブロック１１の詳述しないＯＳＤにより生成され、録再信号処理部９から出力部２３から出力される映像出力に重ね合わせられることはいうまでもない。
【符号の説明】
【００６３】
１…映像記録再生装置（レコーダ装置）、３…チューナ部、５…外部入力部、７…ハードディスクドライブ（ＨＤＤ（記録装置））、９…録画再生信号処理部（ＤＳＰ）、１１…主制御ブロック、１１ａ…番組表／ダビング予約同時表示制御部、１１ｂ…ダビング予約可能時間帯検索部、１１ｃ…ダビング所要時間算出部、１１ｄ…ダビング可能タイトル（コンテンツ）検索部、１１ｅ…ダビング予約制御部、１１ｆ…録画予約制御部、１３…メモリ部、１５…ユーザ操作入力部、１７…リモートコントロール（リモコン）受信部、１９…タイマ部、２１…ディスクドライブ部、２３…出力部。
【図１】
0005614782.tif 000002
【図２】
0005614782.tif 000003
【図３】
0005614782.tif 000004
【図４】
0005614782.tif 000005
【図５】
0005614782.tif 000006
【図６】
0005614782.tif 000007
【図７】
0005614782.tif 000008
【図８】
0005614782.tif 000009
【図９】
0005614782.tif 000010
【図１０】
0005614782.tif 000011
【図１１】
0005614782.tif 000012
【図１２】
0005614782.tif 000013